(57)【特許請求の範囲】
【請求項１】
固定ネジ用の収容溝６を有し、内部に作動用ローラ１２が配置されたハウジング１を備え、前記作動用ローラ１２は、前記ハウジング１内に直線運動し得るように案内されていて電気コンタクト１７を支持するタペット１６に接続されているとともに、前記ハウジング１の側面に形成された導入オリフィス及び前記ハウジング１の端面に形成された導入オリフィス８を介して上記ハウジング１内へ導入し得るアクチュエータ１４により回転せしめられて、前記タペット１６の電気コンタクト１７が前記ハウジングに固定された電気コンタクト１８と接触せしめられ得るようになっている安全スイッチにおいて、
前記ハウジング１は、長手方向に対し直交する横断面が四角形をなしていて、且つ該ハウジング１の長手方向中間位置の各側面には、該ハウジング１の長手方向に対し直交する固定ネジ収容溝６がそれぞれ設けられており、該収容溝６は前記各側面に沿って延びていてその各両端が開放されていることを特徴とする安全スイッチ。
【請求項２】
上記収容溝６の内の対向する一対の端部には、夫々ネジ頭用のさら穴７が備えられていることを特徴とする請求項１に記載の安全スイッチ。
【請求項３】
上記収容溝６は、前記ハウジング１の外方に向かって開放されていることを特徴とする請求項１又は２に記載の安全スイッチ。
【請求項４】
上記収容溝６は、前記ハウジング１の長手方向に対して直交する方向に延びた横孔６ａを構成するように形成されていることを特徴とする請求項１又は２に記載の安全スイッチ。
【請求項５】
上記導入オリフィス８は、アクチュエータ１４が導入された時、何れの導入オリフィスから導入された場合も作動用ローラ１２が同一方向のみに回転されるように互いに配置されていることを特徴とする請求項１乃至４の何れかに記載の安全スイッチ。
【請求項６】
上記作動用ローラ１２は、作動用ローラ１２の初期位置を固定しているバネ３０用の戻り止め溝を周面上に有することを特徴とする請求項１乃至５の何れかに記載の安全スイッチ。
【請求項７】
上記ハウジングは、上記収容溝６を有していると共に作動用ローラ１２を支持している中間部２と、該中間部２の一端に固定されたコンタクト１８を収容しているキャップ状カバー４と、該中間部２の他端に固定された導入オリフィス８が設けられているキャップ５と、を備えていることを特徴とする請求項１乃至６の何れかに記載の安全スイッチ。
【請求項８】
上記中間部２は、周縁ガスケット２１を介して、キャップ状カバーにネジ止めされていて、コンサーティナ(concertina)ガスケット２２によりタペット１６に結合されていることを特徴とする請求項７に記載の安全スイッチ。
【請求項９】
上記キャップ５は、スナップ結合を介して中間部２に結合されていることを特徴とする請求項７又は８に記載の安全スイッチ。
【請求項１０】
上記タペット１６は、中間部２の長手方向に沿って直線移動し得るように案内されていることを特徴とする請求項７乃至９の何れかに記載の安全スイッチ。
【請求項１１】
上記作動用ローラ１２は、両端が前記中間部２の内側に形成された横溝１１に収容されていてピン１０により固定されたシャフト９上に配置されていることを特徴とする請求項１乃至１０の何れかに記載の安全スイッチ。
【請求項１２】
上記タペット１６には、前記ハウジング１内で該ハウジングの長手方向に案内されていて該作動用ローラ１２の少なくとも一つのカム状溝２４によって案内されている該作動用ローラ１２のシャフト９と平行に延びたピン２５を支持するヨーク状架台が設けられていることを特徴とする請求項１乃至１１の何れかに記載の安全スイッチ。
【請求項１３】
上記タペット１６は、作動用ローラ１２の作動の結果として、作動用ローラ１２に隣接して位置されハウジングに固定されたヨーク２７と、圧縮バネ２９の力に抗して作動用ローラ１２の方向に移動可能なタペットの停止面と、の間にクランプされた圧縮バネ２９によって作動用ローラ１２から離れる方向に予め付勢されていることを特徴とする請求項１乃至１２の何れかに記載の安全スイッチ。
【請求項１４】
上記作動用ローラ１２は、互いに独立にシャフト９の周りに回転可能に装架されていて、アクチュエータ１４の作動部１４’に一致して係合するための少なくとも１つの導入オリフィス８に面している異なる半径の溝１３を有する多数のディスク２３を備えていることを特徴とする請求項１乃至１３の何れかに記載の安全スイッチ。
【請求項１５】
上記作動用ローラ１２は、予めバネで弾圧されていて該作動用ローラ１２と係合可能で且つ前記アクチュエータ１４の導入により該作動用ローラ１２との係合が解除され得る少なくとも一つのボルト３５により、ロックされ得るようになっていることを特徴とする請求項１乃至１４の何れかに記載の安全スイッチ。
【請求項１６】
上記作動用ローラ１２は、互いに独立してシャフト９に回転可能に装架されている複数のディスク２３を備えていて、これらのディスク２３の内の横方向外側に配置されているディスクは、アクチュエータ１４によって解除され得るロック位置へ内方向に予めバネ付勢されていることを特徴とする請求項１乃至１４の何れかに記載の安全スイッチ。
【請求項１７】
ハウジングに固定された上記電気コンタクト１８は、電気接続用ケーブルの個々のリードワイヤを挟持し得るようなスリットを形成したナイフ−エッジ接触用スリット１８”を備えたナイフ−エッジ接合用コンタクト１８’として設計されていることを特徴とする請求項１乃至１６の何れかに記載の安全スイッチ。
【請求項１８】
電気接続用ケーブルの上記リードワイヤ３２は、ハウジング１にハウジング１のカバー４を装着することにより、ナイフ−エッジ接合用コンタクト１８’に接続され得るようになっていることを特徴とする請求項１６に記載の安全スイッチ。
【請求項１９】
上記の各リードワイヤー３２のために隔置された二つのウェブ対３３が設けられていて、各ウェブ対はリードワイヤ３２のための結合用溝３４を画成しており、且つ前記ナイフ−エッジ接合用コンタクト１８’は前記の各ウェブ対の間に挿入されていることを特徴とする請求項１８に記載の安全スイッチ。
【発明の詳細な説明】
【０００１】
【発明の属する技術分野】
本発明は、締結ネジ用の溝を収容しているハウジングを備えた安全スイッチ装置に関するものであって、このハウジング内には作動用ローラが配置されていて、その作動用ローラは、ハウジング内を該ハウジングの長手方向に沿って真っ直ぐに案内されるタペットに繋がれ、電気的接触を生じ、側壁に形成された横方向導入オリフィス及び／又は端壁に形成された縦方向導入オリフィスを経由しハウジング内へ導入可能なアクチュエータによって軸の周りに回転可能であり、その結果、タペットの電気コンタクトは、ハウジングに固定された電気コンタクトと接合される。
【０００２】
【従来の技術】
ドイツ国特許出願公開第３９４３３７６号公報は、断面が四角形の直方体のハウジングを有し、そのハウジング内においてハウジングの長手方向に沿って案内され、電気的接触を生じるタペットに繋がれるとともに、ロック解除後、横方向及び縦方向導入オリフィスを経由してハウジング内へ導入されるアクチュエータによって軸の周りを回転され得る作動用ローラが配置され、その結果、タペットの電気コンタクトは、ハウジングに固定された電気コンタクトに接触せしめられる、タイプの安全スイッチを開示している。この場合、導入オリフィスは、作動用ローラが一方向のみの回転を要求されるように、スリット状かつ平行に配置される。導入オリフィスは、キャップ内に配置され、そのキャップは、望まれる取付け位置に従ってネジによりハウジングに締結され、さらにその取付け位置は、ハウジングの前側から後側へ延びる、ハウジングを装着するための２つのネジ孔によって決定される。このタイプの安全スイッチにより、幾つかの取付け方法が実施されるが、適当な場合には、取付けのためにキャップは、取り外されて変更されなければならない。長手方向の軸の周りに９０°のハウジングの回転を伴う１つの取付け方法は、安全スイッチが締結されるべき、壁あるいはそれに似たものの上にハウジングキャリヤーの付加的な装着なしには不可能である。
ドイツ国特許出願公開第３３３０１０９号公報には、類似の安全スイッチが開示されていて、この安全スイッチは、アクチュエータ用の全部で４つの平行なスリット状の導入オリフィスを備えたキャップを有し、それによって改装作業を不要にしている。しかし、一方で、作動用ローラは、両側において回転可能でなければならない。また、さらにもう１つ、長手方向軸周りに９０°のハウジングの回転を伴う１つの取付け方法は、付加的にハウジングキャリヤーを装着しなければ不可能である。更に同時に、適当な場合には、埃ガードあるいは埃止めが設けられるべき４つの導入オリフィスを付加的に装着しなければ不可能である。
【０００３】
【発明が解決しようとする課題】
本発明の目的は、改装作業なしで、出来る限り多くの取付け方法の使用を可能にする、導入部において述べられたタイプの安全スイッチを提供することにある。
【０００４】
【課題を解決するための手段】
上記目的を達成するため、本発明の安全スイッチは、ハウジングがその長手方向に対する横断面が四角形を有し、長手方向に対する横平面の中間領域において長手方向に配置されていて、各側面に沿って延びていて、両端で開口している固定ネジ収容溝を有していることを特徴としている。
【０００５】
【発明の実施の形態】
本発明のさらなる実施例は、以下の記述と従属クレームから解釈されるべきである。
本発明は、添付図面において代表される模範的実施例によって、以下により詳細に説明される。
【０００６】
代表される安全スイッチは、中間部２と、特に固着ネジ３を介して中間部２に結合されるキャップ状のカバー４と、特にスナップ結合を介して中間部２に結合されるキャップ５と、から構成されるハウジング１を備えている。ハウジング１は、長手方向に対する横断面が四角形であって、長手方向に対する横平面の中間領域で長手方向に配置された中間部２は、夫々の側面に固定用ネジのための収容溝６を有している。安全スイッチが、壁あるいは壁状のものに上記固定用ネジで固定され得るように、上記収容溝は、各側面に沿って延長し両端で開口している。
【０００７】
図１に示されるように、収容溝６は、ハウジング１の周囲に外向きに開口するように形成されている。しかし、それらは対応する横孔６ａによっても構成され得る（図２参照）。収容溝６は、固着用ねじ頭を収容するためのさら穴７を備えた２つの終端に便宜上設けられている。
キャップ５は、横方向導入オリフィス８と縦方向導入オリフィス８の両方を有していて、これらは、スリット状に形成され、且つ互いに直角をなすように配置されており、横方向導入オリフィス８は、キャップ５の一側壁に位置していて、縦方向導入オリフィス８は、この側壁と反対側の側壁に隣接して端壁に位置している。
キャップ５の２つの対向する側壁は、その２つの対向する側壁の内の１つが横方向導入オリフィス８を有しているが、図示された模範的実施例では中間部２と
連結されている。
【０００８】
中間部２は、その内側に形成された横溝にシャフト９を収容していて、このシャフト９は横溝１１の一部と２つのピン１０によって固定されている。同時に、ピン１０は、ピンがキャップ５の中に延びて、中間部２内に圧入されることにより、キャップ５を妄りに離脱しないように確保している。シャフト９は、作動用ローラ１２を支えていて、この作動用ローラ１２は、シャフト９の周りを自由に回転可能であり、２つの導入オリフィス８に隣接して配置される半径方向の溝１３を外周面上に有している。その結果、導入オリフィス８の１つに導入されるアクチュエータ１４は、作動用ローラ１２を矢印１５の方向に回転させる。
【０００９】
作動用ローラ１２に繋がれるものは、ハウジング１の内部においてハウジング１の長手方向に沿ってを真っ直ぐに案内されるタペット１６であって、このタペット１６は、一般に、作動用ローラ１２の作動の結果、回路の閉鎖及び／又は開放のために、ハウジングに固定された電気コンタクト１８に対し係合及び／又は離脱する２つの電気コンタクト１７を担持している。
カバー４は、端部に、電気リードの湿気侵入阻止のための導入ニプル１９を有する。ハウジング１内に配置された電気コンタクト１８は、便宜上、ナイフエッジ接触スリット１８”を備えたナイフ‐エッジ接合用コンタクト１８’のように形成される。その結果、電気リードの個々のワイヤは、剥かれることなくナイフ‐エッジ接触スリット１８”内に導入され得るとともに、それによって絶縁体の切断、及びコンタクト１８とワイヤの結合接触が行われる結果、接続される。
適当に打ち抜かれ、曲げられた薄板部から構成されているコンタクト１８は、ハウジング１のスリットに収容されていて、タペット１６と一体的に移動可能なコンタクト１７と係合・係脱可能に設けられている曲折コンタクト部２０を有している。
【００１０】
コンタクト１７，１８が配置されているハウジング領域は、中間部２の溝に一部分が収容される封止リング２１と、中間部２とタペット１６の間に配置されていて、さらに中間部２の内部周面上の対応する周囲の溝、及びタペット１６の外部周面上の溝に収容されるコンサーティナ(concertina)ガスケット２２によって特別に外側に対し封止されている。
【００１１】
図４に示す実施例では、作動用ローラ１２は、多数のディスク２３から構成されていて、このディスク２３は、互いに独立回転可能になるようにシャフト９上に取付けられていると共に、この模範的実施例では空間を形成するように軸方向に対して変位不能であり、アクチュエータ１４の対応する作動部１４’と係合する異なった半径の溝１３が設けられていて、これらディスク２３の全てがカム溝２４を備えている。
ピン２５は、互いに一列に整列されたカム溝２４を通って延出していて、このピン２５が、シャフト９に対して平行であって、タペット１６に結合されているヨーク状架台２６に収容されている。ヨーク状架台２６は、ハウジング１の中間部２内でハウジング１の長手方向に沿って案内されている。その結果、タペット１６は、ヨーク状架台２６に一致してハウジング１の長手方向に沿い真っ直ぐに案内されている。
【００１２】
ヨーク２７は、シャフト９上に配置されるように設けられていて、通過用の、適当であればピン２５の案内用の、縦方向に長い孔２８を有している。ヨーク２７とタペット１６の間には、カバー４の方向にタペット１６に前もって付勢力を与えている圧縮バネ２９が配置されている。
【００１３】
作動用ローラ１２の作動の結果、ピン２５は、対応するスイッチング動作を開始するために、カム溝２４の回転によって、図示された最初の位置からキャップ５方向に移動し、タペット１６も同様に圧縮バネ２９と反対方向の、キャップ５方向へ移動するという結果を伴う。
【００１４】
同時に、ディスク２３の中間位置、或いは最初の位置は、便宜上、ヨーク２７上で支持され或いはヨーク２７と一体的な一片で作られ、この位置でディスク２３の周面溝３１に係合している櫛歯状の板バネ３０によって助力されていることを前提としている。
タペット１６と停止面との間の圧縮バネ２９の配置は、ハウジング１の長手方向に短縮するようになされている。この停止面は、ハウジングに固定され且つこの部分のヨーク２７の形に従って作動用ローラ１２に隣接している。
ピン２５も、結合用ロッドを介してタペット１６と結合され得る。しかし、この結果として、ハウジング１は、長手方向に対して相対的に長くなる。
【００１５】
ウエブ３３の一定の間隔を保たせた２つのペアは、リードワイヤ３２を収容するために、カバー４内に配置され、このウエブ３３の各ペアは、各ペア間に各リードワイヤ３２が挿入される結合用溝３４を形成している。
カバー４が中間部２の上へ押し込まれ、しっかり結びつけられる結果、ナイフエッジ結合用コンタクト１８’は、リードワイヤ３２が収容されている隣接する２つのウエブ３３の間をリードワイヤ３２を横切って貫通し、ナイフエッジコンタクト１８”によりリードワイヤ３２の絶縁被覆を切り開き、上記リードワイヤとナイフエッジ結合用コンタクト１８’の間に電気的接触を行わせる。
図示された実施例において、ウエブ３３の２つのペアは、カバー４の隅に配置される。その結果、リードワイヤ３２は、対角線方向に走るように収容される。
【００１６】
ディスク２３の代わりに、図５に示すように、ハウジング１内で回転によりしっかりと配置された、横方向に２本のボルト３５を有する一片の作動用ローラ１２を用いることも可能であり、この作動用ローラ１２は、ロッキングディスクのように形成され、この作動用ローラ１２の方へバネ３６によって軸方向に予め付勢されていて、作動用ローラと最初の位置で係合している。適当なアクチュエータ１４の導入により、ボルト３５は軸方向に外向きに押圧され、作動用ローラ１２は解放されて回転される。その結果、タッペト１６は、それに対応して変位される。ボルト３５もまた、作動用ローラ１２の対応する溝の方へバネ付勢されることによって放射状に移動可能である。
【００１７】
この実施例において、板バネ３０は、櫛歯状である必要はない。
図５の横向きのボルト３５の代わりに、図６の実施例では、作動ローラ１２の一対のディスク２３が図示しないバネにより互いに接近するように弾圧されていて、ターペット１６と一体の中間固定ボルト３７の両端が前記ディスク２３の内壁面に対向して穿設された左右対称の弧状溝にそれぞれ嵌合せしめられている。常態では、中間固定ボルト３７の両端は前記弧状溝の中間位置（ロック位置）にあるが、アクチュエータ１４が導入されてディスク２３が黒矢印または鎖線矢印方向へ回動されると、中間固定ボルト３７の両端が前記弧状溝に案内されて図示の位置から上方へ移動せしめられる結果となるため、ターペット１６は上方へ変位する。そして、アクチュエータ１４が引き抜かれると、ターペット１６に作用している復元力により中間固定ボルト３７の両端はロック位置へ戻される。
【図面の簡単な説明】
【図１】本発明に係る安全スイッチの一部破断側面図である。
【図２】図１に示す安全スイッチの右側断面図である。
【図３】図１と図２に係る安全スイッチ用の、ハウジングに固定されたコンタクトの斜視図である。
【図４】  図１及び図２に従う安全スイッチ用の関連するアクチュエータを備えた作動用ローラの模範的実施例を示す図で、（ａ）はアクチュエータの斜視図、（ｂ）は作動用ローラ部の斜視図、（ｃ）は作動用ローラ部の断面図である。
【図５】本発明に係る安全スイッチの、関連するアクチュエータを備えた作動用ローラの別の模範的実施例を示す図である。
【図６】本発明に係る安全スイッチの、関連するアクチュエータを備えた作動用ローラの更に別の模範的実施例を示す図である。
【符号の説明】
１              ハウジング
２              中間部
３              固着ネジ
４              カバー
５              キャップ
６              収容溝
６ａ            横孔
７              さら孔
８              横方向導入オリフィス
９              シャフト
１０            ピン
１１            内部横溝
１２            作動用ローラ
１３            溝
１４            アクチュエータ
１５            矢印
１６            タペット
１７            電気コンタクト
１８            電気コンタクト
１８’          ナイフエッジ結合用コンタクト
１８”          ナイフエッジ接触用スリット
１９            導入ニプル
２０            曲折接触部
２１            封止リング
２２            コンサーティナガスケット
２３            ディスク
２４            溝
２５            ピン
２６            ヨーク状架台
２７            ヨーク
２８            横長孔
２９            圧縮バネ
３０            櫛歯状板バネ
３１            周面溝
３２            リードワイヤ
３３            ウエブ
３４            結合用溝
３５            ボルト
３６            バネ
３７            中間固定ネジ
【図１】
0003657048.tif 000002
【図２】
0003657048.tif 000003
【図３】
0003657048.tif 000004
【図４】
0003657048.tif 000005
【図５】
0003657048.tif 000006
【図６】
0003657048.tif 000007